(57)【要約】【課題】ノートブック型パーソナルコンピュータの使用者がキーボードを強く押して、その押す力が光ディスク装置の筐体に伝わりその筐体と筐体内部にある回転体とが接触する場合であっても、その接触に起因する接触音を安定して低減する光ディスク装置を提供することを目的とする。【解決手段】光ディスクを保持する光ディスク保持部１１と、光ディスク保持部１１を回転駆動させる回転駆動部と、光ディスク保持部１１と回転駆動部とを収納する筐体５０と、光ディスクの回転軸に位置すると共に一方の端部３２を光ディスク保持部１１に嵌合させ他方の端部を回転駆動部に嵌合させて回転駆動部からの駆動力を光ディスク保持部１１に伝達するシャフト３１と、を備え、シャフト３１の一方の端部３２は球面状の先端部３２ａを有し、球面状の先端部３２ａは光ディスク保持部１１から突出して筐体５０を形成する面５０ａに向かうことを特徴とする。【選択図】図６
2013020665.tif 000002
【特許請求の範囲】
【請求項１】
光ディスクを保持する光ディスク保持部と、
前記光ディスク保持部を回転駆動させる回転駆動部と、
前記光ディスク保持部と前記回転駆動部とを収納する筐体と、
前記光ディスクの回転軸に位置すると共に一方の端部を前記光ディスク保持部に嵌合させ他方の端部を前記回転駆動部に嵌合させて前記回転駆動部からの駆動力を前記光ディスク保持部に伝達するシャフトと、を備え、
前記シャフトの前記一方の端部は球面状の先端部を有し、
前記球面状の先端部は前記光ディスク保持部から突出して前記筐体を形成する面に向かうことを特徴とする光ディスク装置。
【請求項２】
前記球面状の先端部は、前記シャフトが前記光ディスク保持部と嵌合する嵌合径と同一の外縁を有することを特徴とする請求項１記載の光ディスク装置。
【請求項３】
前記球面状の先端部は、前記光ディスク保持部から完全に露出していることを特徴とする請求項２記載の光ディスク装置。
【請求項４】
前記筐体よりも摩擦係数が小さいシートを有し、
前記シートは、前記筐体の少なくとも一部に貼り付けられていると共に、前記球面状の先端部と対向することを特徴とする請求項１記載の光ディスク装置。
【発明の詳細な説明】
【技術分野】
【０００１】
本発明は、ＣＤやＤＶＤなどの光ディスクに対して情報の記録を行う、または光ディスクから情報の再生を行う光ディスク装置に関し、特に携帯型の電子機器に内蔵するのに適した光ディスク装置に関するものである。
【背景技術】
【０００２】
光ディスク装置は、デスクトップ型パーソナルコンピュータやノートブック型パーソナルコンピュータなどに搭載される。特に、ノートブック型パーソナルコンピュータは、薄型化、軽量化が要求されるため、このノートブック型パーソナルコンピュータに搭載される光ディスク装置においても薄型化、軽量化が重要となる。
【０００３】
光ディスク装置では、その薄型化、軽量化の対策として、装置の外装を形成する筐体の厚みを薄くしたり、光ディスクを保持する光ディスク保持部と筐体との距離を小さくしたりすることが行われる。
【０００４】
また、ノートブック型パーソナルコンピュータでは、その薄型化、軽量化の対策として、装置を構成する構成部材を薄型化したり、光ディスク装置を含む構成部材間の距離を小さくしたりすることが行われる。
【０００５】
これらの結果、ノートブック型パーソナルコンピュータは薄型化、軽量化を達成している。
【先行技術文献】
【特許文献】
【０００６】
【特許文献１】特開２００４−１６４７９５号公報
【発明の概要】
【発明が解決しようとする課題】
【０００７】
一般的に、ノートブック型パーソナルコンピュータに搭載される光ディスク装置は、ノートブック型パーソナルコンピュータのキーボードの裏面に配置されている。そのため、光ディスク装置は、ノートブック型パーソナルコンピュータのキーボード操作の影響を受けやすい。すなわち、薄型または軽量のノートブック型パーソナルコンピュータでは、光ディスク装置を含む構成部材間の距離が小さいので、ノートブック型パーソナルコンピュータの使用者がコンピュータのキーボードを強く押すと、その押す力がキーボードを設置している基板を介して光ディスク装置の筐体に伝わる。
【０００８】
光ディスク装置の筐体は、薄型化、軽量化のために、その厚みが薄い。また、光ディスクを保持する光ディスク保持部と筐体との距離は小さい。このため、光ディスク装置の筐体に大きな力が加わると、その筐体が光ディスク保持部に接触することがあった。すなわち、光ディスク装置を使用しているときに筐体と光ディスク保持部の接触が起こると、光ディスク保持部が高速で回転しているため筐体と光ディスク保持部との間で大きな音が発生し、使用者に不快感を与えるという問題があった。
【０００９】
（特許文献１）に記載の技術では、回転軸（シャフト）の露出端面に保護凸部を有し、その保護凸部が筐体の内壁面に向かって突出する点のみの記載に留まり、具体的に保護凸部がどのような形状であるかについて開示されていない。また、保護凸部と筐体との間で発生する音の大きさについても課題があった。
【００１０】
本発明は、上記課題を解決するためになされたものであって、ノートブック型パーソナルコンピュータの使用者がキーボードを強く押して、その押す力が光ディスク装置の筐体に伝わりその筐体と筐体内部にある回転体とが接触する場合であっても、その接触に起因する接触音を安定して低減できる光ディスク装置を提供することを目的とする。
【課題を解決するための手段】
【００１１】
本発明は上記課題を解決するためになされたものであって、光ディスクを保持する光ディスク保持部と、光ディスク保持部を回転駆動させる回転駆動部と、光ディスク保持部と回転駆動部とを収納する筐体と、光ディスクの回転軸に位置すると共に一方の端部を光ディスク保持部に嵌合させ他方の端部を回転駆動部に嵌合させて回転駆動部からの駆動力を光ディスク保持部に伝達するシャフトと、を備え、シャフトの一方の端部は球面状の先端部を有し、球面状の先端部は光ディスク保持部から突出して筐体を形成する面に向かうことを特徴とする光ディスク装置である。
【発明の効果】
【００１２】
本発明は上記構成により、シャフトの一方の端部が球面状の先端部を有し、その球面状の先端部が光ディスク保持部から突出して筐体を形成する面に向かうので、ノートブック型パーソナルコンピュータの使用者がキーボードを押す力に起因して光ディスク装置の筐体が変形したとき、その筐体はシャフトの球面状の先端部のみに接触する。このとき、筐体を構成する面は回転するシャフトの球面状の先端部と接触するが、その先端部が球面状であるため筐体とシャフトとの接触抵抗は小さくなる。そのため、筐体とシャフトとの接触に起因して発生する接触音を低減できる。
【００１３】
また、シャフトの球面状の先端部は、筐体を構成する面がどの方向から接触しても、シャフトの球面状の先端部と筐体との接触条件を一定にするので、筐体とシャフトとの接触に起因して発生する接触音を安定して低減できる。
【００１４】
これらの結果、ノートブック型パーソナルコンピュータの使用者がキーボードを強く押して、その押す力が光ディスク装置の筐体に伝わりその筐体と筐体内部にある回転体とが接触する場合であっても、その接触に起因する接触音を安定して低減できる。
【図面の簡単な説明】
【００１５】
【図１】ノートブック型パーソナルコンピュータに内蔵される光ディスク装置を示す斜視図
【図２】本発明の実施の形態における光ディスク保持部の構造を示す断面図
【図３】ノートブック型パーソナルコンピュータのキーボードを操作しないときの光ディスク装置における筐体とシャフトとの関係を示す図
【図４】ノートブック型パーソナルコンピュータのキーボードを操作しないときの光ディスク装置における筐体とシャフトとの関係を示す図
【図５】ノートブック型パーソナルコンピュータのキーボードを操作したときの光ディスク装置における筐体とシャフトとの関係を示す図
【図６】ノートブック型パーソナルコンピュータのキーボードを操作したときの光ディスク装置における筐体とシャフトとの関係を示す図
【図７】ノートブック型パーソナルコンピュータのキーボードを操作したときの光ディスク装置における筐体とシャフトとの関係を示す図
【発明を実施するための形態】
【００１６】
請求項１記載の発明は、光ディスクを保持する光ディスク保持部と、光ディスク保持部を回転駆動させる回転駆動部と、光ディスク保持部と回転駆動部とを収納する筐体と、光ディスクの回転軸に位置すると共に一方の端部を光ディスク保持部に嵌合させ他方の端部を回転駆動部に嵌合させて回転駆動部からの駆動力を光ディスク保持部に伝達するシャフトと、を備え、シャフトの一方の端部は球面状の先端部を有し、球面状の先端部は光ディスク保持部から突出して筐体を形成する面に向かうことを特徴とする。これにより、シャフトの一方の端部は球面状の先端部を有し、その球面状の先端部が光ディスク保持部から突出して筐体を形成する面に向かうので、ノートブック型パーソナルコンピュータの使用者がキーボードを押す力に起因して光ディスク装置の筐体が変形したとき、その筐体はシャフトの球面状の先端部のみに接触する。このとき、筐体を構成する面は回転するシャフトの球面状の先端部と接触するが、その先端部が球面状であるため筐体とシャフトとの接触抵抗は小さくなる。そのため、筐体とシャフトとの接触に起因して発生する接触音を低減できる。
【００１７】
また、シャフトの球面状の先端部は、筐体を構成する面がどの方向から接触しても、シャフトの球面状の先端部と筐体との接触条件を一定にするので、筐体とシャフトとの接触に起因して発生する接触音を安定して低減できる。
【００１８】
これらの結果、ノートブック型パーソナルコンピュータの使用者がキーボードを強く押して、その押す力が光ディスク装置の筐体に伝わりその筐体と筐体内部にある回転体とが接触する場合であっても、その接触に起因する接触音を安定して低減できる。
【００１９】
請求項２記載の発明は、球面状の先端部は、シャフトが光ディスク保持部と嵌合する嵌合径と同一の外縁を有することを特徴とする。これにより、球面状の先端部を大きく形成し、筐体を形成する面の傾きに対する裕度を大きくするので、光ディスク装置の筐体が大きく変形しても、その筐体を形成する面と球面状の先端部を安定して接触させ、接触に起因する接触音を効率的に低減する。
【００２０】
請求項３記載の発明は、球面状の先端部は、光ディスク保持部から完全に露出していることを特徴とする。これにより、光ディスク保持部とシャフトとの間に無駄な空間を発生させないので、光ディスク保持部とシャフトとの嵌合力が高まる。また、光ディスク保持部とシャフトとの間に空間が生じないので、ゴミなどの侵入を心配する必要が無い。
【００２１】
請求項４記載の発明は、筐体よりも摩擦係数が小さいシートを有し、シートは、筐体の少なくとも一部に貼り付けられていると共に、球面状の先端部と対向することを特徴とする。これにより、ノートブック型パーソナルコンピュータの使用者がキーボードを押す力に起因して光ディスク装置の筐体が変形したとき、シャフトの球面状の先端部は、シートに接触する。ここで、シートの摩擦係数は筐体の摩擦係数よりも小さいので、シャフトの球面状の先端部とシートとの接触抵抗はシャフトの球面形状の先端部と筐体を構成する面とが接触する場合に比較して小さくなり、シャフトの接触に起因して発生する接触音をさらに低減できる。
【００２２】
（実施の形態）
以下、本発明の実施の形態１について、図面を参照しながら説明する。
【００２３】
図１は、ノートブック型パーソナルコンピュータに内蔵される光ディスク装置を示す斜視図である。
【００２４】
ノートブック型パーソナルコンピュータ２の本体３には、光ディスク装置１を収容するスペースがキーボード４の裏面側に形成されている。光ディスク装置１は、光ディスクを載置するディスクトレイを有し、このディスクトレイが光ディスク装置１の筐体に対して出し入れされることにより光ディスクの着脱が可能となる。なお、光ディスク装置１は、ディスクトレイを利用せず、外部から光ディスクを直接挿入し、または直接排出できるスロットイン方式の光ディスク装置であってもよい。
【００２５】
図２は、本発明の実施の形態における光ディスク保持部の構造を示す断面図である。
【００２６】
光ディスク保持部１１は、光ディスク１００を載置するターンテーブル１２と、ターンテーブル１２に向かって付勢される爪部材１３とから構成される。光ディスク１００はターンテーブル１２と爪部材１３に挟み込まれるように位置し、この光ディスク保持部１１によって光ディスク１００は保持される。
【００２７】
回転駆動部２１は、回転駆動力を発生させるモータ２２と電子回路が形成された基板２３とから構成される。モータ２２は、フレキシブルプリント基板（図示せず）などの接続線を介して基板２３に接続され、基板２３から送出された信号に基づいて回転制御される。
【００２８】
シャフト３１は、一方の端部３２が光ディスク保持部１１に設けられた貫通孔１４と嵌合し、他方の端部３３が回転駆動部２１に設けられた穴２４と嵌合する。また、シャフト３１は、光ディスク１００の回転軸に位置し、回転駆動部２１で発生した駆動力を光ディスク保持部１１に伝達して、光ディスク保持部１１を回転させる。シャフト３１の一方の端部３２は球面状の先端部３２ａを有し、球面状の先端部３２ａは光ディスク保持部１１から突出するように光ディスク保持部１１に設けられた貫通孔１４から飛び出している。
【００２９】
プレート４０は、回転駆動部２１を支持してシャフト３１を介し光ディスク保持部１１の位置を決定する。また、プレート４０は、レーザ光を光ディスク１００に集光する対物レンズ（図示せず）などの光学部材が設けられたキャリッジを移動可能に支持して、光ディスク１００と光学部材との相対位置を正確に決定する。
【００３０】
次に、ノートブック型パーソナルコンピュータに内蔵された光ディスク装置を使用しているとき、同時にコンピュータの使用者がコンピュータのキーボードを操作しない場合について説明する。
【００３１】
図３は、ノートブック型パーソナルコンピュータのキーボードを操作しないときの光ディスク装置における筐体とシャフトとの関係を示す図である。
【００３２】
筐体５０は、光ディスク装置１の外装を形成するケースに相当し、少なくとも光ディスク保持部１１と、回転駆動部２１を収納する。また、筐体５０は複数の面から構成され、１つの面５０ａが光ディスク保持部１１と対向している。
【００３３】
シャフト３１は、光ディスク１００の回転軸に位置すると共に一方の端部３２を光ディスク保持部１１に嵌合させ他方の端部３３を回転駆動部２１に嵌合させて回転駆動部２１からの駆動力を光ディスク保持部１１に伝達する。また、シャフト３１の一方の端部３２は球面状の先端部３２ａを有し、この球面状の先端部３２ａは、光ディスク保持部１１から突出して筐体５０を形成する面５０ａに向かう。
【００３４】
また、シャフト３１は、シャフト３１の球面状の先端部３２ａの外縁を形成する外形の直径を寸法Ａ、シャフト３１が光ディスク保持部１１と嵌合する嵌合部の直径を寸法Ｂとすると、寸法Ａと寸法Ｂが等しくなっている。すなわち、シャフト３１の球面状の先端部３２ａは、シャフト３１が光ディスク保持部１１と嵌合する嵌合径と同一の外縁を有している。
【００３５】
また、シャフト３１の先端部３２ａは球面状の形状であるが、この球面状部分は光ディスク保持部１１から完全に露出して、筐体５０の１つの面５０ａと対向している。このとき、シャフト３１の先端部３２ａと筐体５０との間に一定の距離を設け、シャフト３１の先端部３２ａと筐体５０との間で接触が起きないようにしている。これにより、シャフト３１の先端部３２ａが回転しても、筐体５０との間で接触音が生じない。
【００３６】
図４は、ノートブック型パーソナルコンピュータのキーボードを操作しないときの光ディスク装置における筐体とシャフトとの関係を示す図である。なお、図３と図４の相違点はシート６０の有無であり、図４はシート６０が有る場合を示している。
【００３７】
シート６０は、筐体５０の少なくとも一部に貼り付けられ、シャフト３１の球面状の先端部３２ａと対向している。このとき、シャフト３１の先端部３２ａとシート６０との間に一定の距離を設け、シャフト３１の先端部３２ａとシート６０との間で接触が起きないようにしている。これにより、シャフト３１の先端部３２ａが回転しても、シート６０との間で接触音が生じない。
【００３８】
なお、このシート６０には、筐体５０の光ディスク保持部１１が対向する面５０ａよりも摩擦係数が小さいものを用いている。
【００３９】
次に、ノートブック型パーソナルコンピュータに内蔵された光ディスク装置を使用しているとき、同時にコンピュータの使用者がコンピュータのキーボードを操作する場合について説明する。
【００４０】
図５は、ノートブック型パーソナルコンピュータのキーボードを操作したときの光ディスク装置における筐体とシャフトとの関係を示す図である。なお、図５は、従来の光ディスク装置を示すものであり、シャフト３１の一方の端部３２が、球面状の先端部を有さず、また光ディスク保持部１１から突出しない場合を示している。
【００４１】
ノートブック型パーソナルコンピュータ２の使用者がコンピュータのキーボード４を強く押すと、その押す力がキーボード４を設置している基板を介して光ディスク装置１の筐体５０に伝わる。光ディスク装置１の筐体５０は、薄型化、軽量化のために、その厚みが薄い。また、光ディスク１００を保持する光ディスク保持部１１と筐体５０との距離は小さい。このため、光ディスク装置の筐体５０に大きな力が加わると、その筐体５０が光ディスク保持部１１に接触する。
【００４２】
光ディスク装置１を使用しているときに筐体５０と光ディスク保持部１１の接触が起こると、光ディスク保持部１１が高速で回転しているため筐体５０と光ディスク保持部１１との間で大きな音が発生する。従来、この大きな音が使用者に不快感を与えるという問題を起こしていた。
【００４３】
図６は、ノートブック型パーソナルコンピュータのキーボードを操作したときの光ディスク装置における筐体とシャフトとの関係を示す図である。なお、図６は、本発明の光ディスク装置を示すものであり、シャフト３１の一方の端部３２が、球面状の先端部３２ａを有すると共に、光ディスク保持部１１から突出する場合を示している。また、図６は、図３の状態からノートブック型パーソナルコンピュータ２のキーボード４を操作した場合に対応する。
【００４４】
先に説明した図３は、ノートブック型パーソナルコンピュータ２に内蔵された光ディスク装置１を使用しているとき、そのコンピュータの使用者がコンピュータのキーボード４を操作しない場合を示すものである。ここで説明する図６は、ノートブック型パーソナルコンピュータ２に内蔵された光ディスク装置１を使用しているとき、そのコンピュータの使用者がコンピュータのキーボード４を操作する場合を示すものである。
【００４５】
ノートブック型パーソナルコンピュータ２の使用者が、そのコンピュータのキーボード４を強く押すと、その押す力がキーボード４を設置している基板を介して光ディスク装置１の筐体５０に伝わる。光ディスク装置１の筐体５０は、薄型化、軽量化のために、その厚みが薄い。また、光ディスク１００を保持する光ディスク保持部１１と筐体５０との距離は小さい。このため、光ディスク装置の筐体５０に大きな力が加わると、その筐体５０が光ディスク保持部１１に接触しようとする。
【００４６】
ところが、図６に示す本発明の光ディスク装置では、シャフト３１の一方の端部３２が球面状の先端部３２ａを有し、この球面状の先端部３２ａは、筐体５０を形成する１つの面５０ａに向かって光ディスク保持部１１から突出している。
【００４７】
これにより、ノートブック型パーソナルコンピュータ２の使用者がキーボード４を押す力に起因して光ディスク装置１の筐体５０が変形したとき、その筐体５０はシャフト３１の球面状の先端部３２ａのみに接触する。このとき、筐体５０を構成する面は回転するシャフト３１の球面状の先端部３２ａと接触するが、その先端部３２ａが球面状であるため筐体５０とシャフト３１との接触抵抗は小さくなる。そのため、筐体５０とシャフト３１との接触に起因して発生する接触音を低減できる。また、シャフト３１の球面状の先端部３２ａは、筐体５０を構成する面５０ａがどの方向から接触しても、シャフト３１の球面状の先端部３２ａと筐体５０との接触条件を一定にするので、筐体５０とシャフト３１との接触に起因して発生する接触音を安定して低減できる。これらの結果、ノートブック型パーソナルコンピュータ２の使用者がキーボード４を強く押して、その押す力が光ディスク装置１の筐体５０に伝わりその筐体５０と筐体５０内部にある回転体とが接触する場合であっても、その接触に起因する接触音を安定して低減できる。
【００４８】
また、シャフト３１の球面状の先端部３２ａは、図３に示すようにシャフト３１が光ディスク保持部１１と嵌合する嵌合径と同一の外縁を有する。これにより、球面状の先端部３２ａを大きく形成し、筐体５０を形成する面の傾きに対する裕度を大きくするので、光ディスク装置１の筐体５０が大きく変形しても、その筐体５０を形成する面５０ａと球面状の先端部３２ａを安定して接触させ、接触に起因する接触音を効率的に低減する。
【００４９】
また、シャフトの３１の球面状の先端部３２ａは、光ディスク保持部１１から完全に露出している。これにより、光ディスク保持部１１とシャフト３１との間に無駄な空間を発生させないので、光ディスク保持部１１とシャフト３１との嵌合力が高まる。また、光ディスク保持部１１とシャフト３１との間に空間が生じないので、ゴミなどの侵入を心配する必要が無い。
【００５０】
図７は、ノートブック型パーソナルコンピュータのキーボードを操作したときの光ディスク装置における筐体とシャフトとの関係を示す図である。なお、図６と図７の相違点はシート６０の有無であり、図７はシート６０がある場合を示している。また、図７は、図４の状態からノートブック型パーソナルコンピュータ２のキーボード４を操作した場合に対応する。
【００５１】
図４に示すシート６０が筐体５０の少なくとも一部に貼り付けられていると共に、球面状の先端部３２ａと対向している場合には、ノートブック型パーソナルコンピュータ２の使用者がキーボード４を押す力に起因して光ディスク装置１の筐体５０が変形したとき、シャフト３１の球面状の先端部３２ａは、シート６０に接触する。ここで、シート６０の摩擦係数は筐体５０の摩擦係数よりも小さいので、シャフト３１の球面状の先端部３２ａとシート６０との接触抵抗はシャフト３１の球面形状の先端部３２ａと筐体５０を構成する面５０ａとが接触する場合に比較して小さくなり、シャフト３１の接触に起因して発生する接触音をさらに低減できる。
【００５２】
以上のように、光ディスク１００の回転軸に位置すると共に一方の端部３２を光ディスク保持部１１に嵌合させ他方の端部３３を回転駆動部２１に嵌合させて回転駆動部２１からの駆動力を光ディスク保持部１１に伝達するシャフト３１と、を備え、シャフト３１の一方の端部３２は球面状の先端部３２ａを有し、球面状の先端部３２ａは光ディスク保持部１１から突出して筐体５０を形成する面５０ａに向かうので、ノートブック型パーソナルコンピュータ２の使用者がキーボード４を押す力に起因して光ディスク装置１の筐体５０が変形したとき、その筐体５０はシャフト３１の球面状の先端部３２ａのみに接触する。このとき、筐体５０を構成する面は回転するシャフト３１の球面状の先端部３２ａと接触するが、その先端部３２ａが球面状であるため筐体５０とシャフト３１との接触抵抗は小さくなる。そのため、筐体５０とシャフト３１との接触に起因して発生する接触音を低減できる。また、シャフト３１の球面状の先端部３２ａは、筐体５０を構成する面５０ａがどの方向から接触しても、シャフト３１の球面状の先端部３２ａと筐体５０との接触条件を一定にするので、筐体５０とシャフト３１との接触に起因して発生する接触音を安定して低減できる。これらの結果、ノートブック型パーソナルコンピュータ２の使用者がキーボード４を強く押して、その押す力が光ディスク装置１の筐体５０に伝わりその筐体５０と筐体５０内部にある回転体とが接触する場合であっても、その接触に起因する接触音を安定して低減できる。
【産業上の利用可能性】
【００５３】
本発明は、筐体と筐体内部にある回転体とが接触する場合であっても、その接触に起因する接触音を安定して低減できるので、ＣＤやＤＶＤなどの光ディスクに対して情報の記録を行う、または光ディスクから情報の再生を行う光ディスク装置などに適応可能である。
【符号の説明】
【００５４】
１    光ディスク装置
２    ノートブック型パーソナルコンピュータ
３    本体
４    キーボード
１１    光ディスク保持部
１２    ターンテーブル
１３    爪部材
１４    貫通孔
２１    回転駆動部
２２    モータ
２３    基板
２４    穴
３１    シャフト
３２    端部
３２ａ    先端部
３３    端部
４０    プレート
５０    筐体
５０ａ    面
６０    シート
１００    光ディスク
【図１】
2013020665.tif 000003
【図２】
2013020665.tif 000004
【図３】
2013020665.tif 000005
【図４】
2013020665.tif 000006
【図５】
2013020665.tif 000007
【図６】
2013020665.tif 000008
【図７】
2013020665.tif 000009